(57)【要約】【課題】損傷を受けたフーチングを効果的に補修・補強する方法を提供する。【解決手段】ＰＣ緊張材３０，４０を用いてフーチング１０に三次元応力を付与してフーチング１０を補強する方法であって、フーチング１０のプロフィール１１の外側に補強コンクリート２１を打設してフーチング１０を覆い、補強コンクリート内に設けた周方向シース内又は補強コンクリート２１の外周に、ＰＣ緊張材３０を配設して緊張し、定着部３１，３２に定着すると共に、フーチング１０に縦孔を設け、この縦孔内にＰＣ緊張材４０を挿入し、その下端部に拡張定着部４１を設け、頭部に緊張定着部４２を設けてＰＣ緊張材４０を緊張定着する。【選択図】        図１
2007231667.tif 000002
【特許請求の範囲】
【請求項１】
フーチングにＰＣ緊張材を用いて三次元応力を付与することを特徴とするフーチングの補強方法。
【請求項２】
フーチングの周方向外周にＰＣ緊張材を巻回して緊張すると共に、フーチング内に多数のＰＣ緊張材を高さ方向に配設してこれを緊張することを特徴とする請求項１記載のフーチングの補強方法。
【請求項３】
フーチング内に任意方向に多数の貫通ＰＣ緊張材挿通孔を削孔し、該挿通孔にＰＣ緊張材を配設して、緊張することを特徴とする請求項１記載のフーチングの補強方法。
【発明の詳細な説明】
【技術分野】
【０００１】
本発明は橋脚のフーチングの補強方法に関する。
【背景技術】
【０００２】
コンクリート橋脚は耐震性の向上、コンクリートの劣化回復、その他の理由により、補強や補修を必要とする場合がある。
【０００３】
橋脚の補修又は補強手段として、橋脚の外周の周方向に裏込めコンクリートを施工し、その中にＰＣ鋼材を配設し、これを緊張してコンクリートにフープ応力を導入し、橋脚の膨張等を防止して補強する技術がある（例えば特許文献１参照。）。
【０００４】
また柱状構造物の外周にＰＣ鋼より線又は高強度合成樹脂線材を設定ピッチで巻きつけ、これに緊張力を付与しつつ柱状構造物を補強する技術がある（例えば、特許文献２参照。）。
【０００５】
これらの技術では、橋脚や柱状構造物は、軸方向に上部構造の自重等の負荷がかかっており、周方向のみを補強すればよいので、上記のような技術が効果的である。
【０００６】
ところで、橋脚等を補強する場合、この橋脚を受けているフーチングも劣化等を生じている場合がある。しかし、従来、フーチングの補強や補修については殆ど考慮が払われておらず、そのような従来技術は見当らない。
【特許文献１】特許第２６８２９７４号公報（第２−３頁、図１）
【特許文献２】特許第３１７７２１９号公報（第２−３頁、図１）
【発明の開示】
【発明が解決しようとする課題】
【０００７】
例えば、アルカリ骨材反応等によってコンクリートが劣化損傷した橋脚の補修や補強方法として、上述のように、橋脚等の周囲にＰＣ緊張材等を巻回して緊張し、フープ応力を導入して補強する、いわゆるＰＣコンファインド工法が知られている。ＰＣコンファインド工法は橋脚等の周方向のみにプレストレス力を導入する工法であるが、これはコンクリートの劣化による橋脚等の膨張が橋脚等の周方向にのみ生ずるという理由によるものである。
【０００８】
ところが、フーチングがコンクリートの劣化等により損傷を受けた場合のひび割れ状況を観察すると、フーチングの周方向のみの強化では不十分であり、軸方向（高さ方向）の膨張を抑制する必要があることが知見された。
【０００９】
本発明は、損傷を受けたフーチングを効果的に補修・補強する方法を提供することを目的とする。
【課題を解決するための手段】
【００１０】
本発明は、上記課題を解決するためになされたもので、その技術手段は、フーチングにＰＣ緊張材を用いて三次元応力を付与することを特徴とするフーチングの補強方法を提供する。ここで補強とは既設のコンクリート構造物の劣化、膨張等を抑制するために補強又は補修を施すことを云う。
【００１１】
上記本発明のさらに具体的手段を挙げると次の通りである。
【００１２】
（１）フーチングの周方向外周にＰＣ緊張材を巻回して緊張すると共に、フーチング内に多数のＰＣ緊張材を高さ方向に配設してこれを緊張する。このことによって、フーチングのＸＹ方向（水平方向）はフープ力の付与によって補強され、高さ方向応力導入と合わせてフーチングに三次元応力を導入することができる。
【００１３】
（２）フーチング内に任意方向に多数の貫通ＰＣ緊張材挿通孔を削孔し、該挿通孔にＰＣ緊張材を配設して、各方向を緊張することにより、フーチングを三次元的に緊張する。
【発明の効果】
【００１４】
本発明によれば、ＰＣ緊張材により既設のフーチングに三次元応力を付与するので、あらゆる方向に対してコンクリートの膨張が抑制され、コンクリートの劣化進行によって新たに発生するひび割れ等を防止することが可能となり、フーチングに対する効果的な補強や補修が期待できる。
【００１５】
このようなフーチングを補強、補修する技術は従来なかったもので、本発明はコンクリート構造物の耐久性向上に大きく寄与するものである。
【発明を実施するための最良の形態】
【００１６】
図１及び図２は、本発明の１実施例を示すもので、図１はフーチングの側面図及び縦断面図、図２はその平面図で、図１の向って右半分は外周に巻きつけるＰＣ緊張材の配列等を示し、図１の向って左半分はフーチングの高さ方向に応力導入するＰＣ緊張材を示し、図２はその配列を示している。
【００１７】
補修すべきフーチング１０は橋脚柱１００の下端に設けられ、プロフィール１１で示すような形状をなしている。杭支持されている場合もある。
【００１８】
フーチング１０はその上に設けられる橋脚柱１００及び図示省略した上部構造物の荷重を支持し、橋脚柱の支持基盤を形成するもので、通常ＲＣ構造である。一部地上に露出しているものもあり、全体が地下に埋設されているものもある。
【００１９】
従来から、地上構造物が設計条件を上廻る苛酷な荷重条件を受けたり、大気、雨水その他の浸入による鉄筋等の発錆、コンクリートの膨張やひび割れ、アルカリ骨材反応等に基因する損傷等について、検査及び補修が行われている。しかしながら、フーチングの劣化や補強については、余り着目されていなかった。
【００２０】
本発明者らは、橋脚のみでなく、フーチングにも劣化が生じている実情に鑑み、本発明を創出した。
【００２１】
本発明では、フーチング１０のプロフィール１１の外側に、補強コンクリート２１を打設し、その後三次元応力の導入を行って補強する。補強コンクリート２１を打設する前にフーチングの劣化した表面コンクリートを除去するのがよい。補強コンクリート２１はフーチング１０を覆うもので、その内部に周方向シースを埋設してシース内にＰＣ緊張材３０を配設するか、又は補強コンクリート２１の外周にＰＣ緊張材３０を巻きつけ、このＰＣ緊張材３０を緊張し、定着部３１，３２にＰＣ緊張材３０の端部を定着する。ＰＣ緊張材の種類寸法、配列、使用数等はフーチングの大きさ、導入すべき応力等に応じて設計により定められる。
【００２２】
次に、フーチング１０の高さ方向に応力を導入するＰＣ緊張材４０は、例えば、図２に平面図で示すように配設する。図１の向って左半分にはＰＣ緊張材４０の長手方向が示されている。フーチング１０に縦孔を削孔し、この縦孔の上方にシースを配設して補強コンクリート２１を施工し、コンクリート硬化後、この縦孔内にＰＣ緊張材４０を挿入して緊張する。ＰＣ緊張材４０の下端部には拡張定着部４１等を設け、ＰＣ緊張材４０の頭部には緊張定着部４２を設ける。ＰＣ緊張材４０の寸法、配列等はフーチング１０の補強のために導入すべき応力に応じて定めればよい。
【００２３】
以上の実施例では、平面形状がほぼ正方形状のフーチングの例を示したが、本発明はこれに限定されるものではなく、円形、楕円形、小判形、縦横比の大きい矩形状その他の形状のものにも適用される。この場合、周方向にＰＣ緊張材を巻回するほか、水平方向にフーチングを貫通するＰＣ緊張材を併用してもよい。さらにこの貫通ＰＣ緊張材によって周方向ＰＣ緊張材のはらみ出しを防止するようにしてもよい。
【００２４】
なお、条件に応じて、フーチング内に任意方向に多数のＰＣ緊張材を配設して緊張することとしてもよい。
【図面の簡単な説明】
【００２５】
【図１】実施例の縦断面図である。
【図２】実施例の平面図である。
【符号の説明】
【００２６】
１０    フーチング
１１    プロフィール
２１    補強コンクリート
３０    ＰＣ緊張材
３１，３２    定着部
４０    ＰＣ緊張材
４１    拡張定着部
４２    緊張定着部
１００    橋脚柱
【図１】
2007231667.tif 000003
【図２】
2007231667.tif 000004